(57)【要約】【課題】  現在海の波エネルギーを取り出す方法としては電気エネルギーにして取り出して使うことが多く圧縮空気として取り出して何かの目的に使用されている公知のものは少ない。【解決手段】  本考案の図（１）の圧縮装置よりピストン（６）の上面圧縮室（４）、下面圧縮室（５）の両方に吸い込み口（１）を設けることで本装置を多数連結したときどこの段の圧縮装置においても前段からの圧縮空気圧の影響を受けず浮子（９）のエネルギーは前段圧力と後段圧力の差についやされる様にした。  前段からの圧縮空気圧の影響を受けないため小さな波エネルギーを取り出すに適した大きさの同じ圧縮装置を数段重ねることが可能で波の力を圧縮空気にして、段々に加圧し必要な圧縮空気を得ることができるようにした。【選択図】図１
2013164059.tif 000002
【特許請求の範囲】
【請求項１】
図（１）の圧縮装置よりピストン（６）の上面側、下面側の両面に吸い込み口（１）を設けることで、上下吸い込み口（１）から同じ圧力の空気を吸い込んだとき圧力がどのようなものであってもピストン（６）の上下動圧縮力には影響しない。
【請求項２】
圧縮装置（２２）を数段連結して使用したとき前段からの圧縮空気の影響を受けないので浮子（９）に要するエネルギーはどの段においても同じでよく、小さな波のエネルギーを取り出すのに適した大きさの圧縮装置を何段でも連結することで使用目的に合う加算した圧縮空気にして取り出せるようにした。
【発明の詳細な説明】
【技術分野】
【０００１】  この発明は、液体の波の力を圧縮空気に変えこの圧縮空気により動作する機器を働かせることを目的とする。
【背景技術】
【０００２】  従来、海の波のエネルギーを取り出す方法としては、電気を発電することが主な方法であった。
【発明の開示】
【発明が解決しようとする課題】
【０００３】  海の波の力で圧縮空気を作りそれを動力源とし発電する、又は圧力を利用して水などを高いところへ汲み上げ貯水し、必要なときに必要な分発電できるようにする。
圧縮空気を色々な圧縮空気利用の機械を動作させるにはある程度高い圧縮空気が要求される。
エネルギー変化の大きい海の波で常に高い圧縮空気を得るのはむずかしい、そこで圧縮装置を数段重ねることにより小さな波のエネルギーを積み重ね高い圧縮空気を作れるようにする。
【課題を解決するための手段】
【０００４】  本考案の図１は海の波エネルギーで圧縮空気を作る圧縮装置（２２）である。図２はこの圧縮装置（２２）を数段重ねたもので高い圧縮空気を作れるようにしたものである。
図（１）より本装置の下部を海面下に沈め浮子（９）が少し沈むほどのところまで沈めて配置する、海面が波立つと浮子（９）は上下動し、ロッド（８）を介してピストン（６）が上下動する。
吸い込み口（１）と吐き出し口（２）の間、ピストン（６）の上面圧縮室（４）、下面圧縮室（５）、圧力空気室（１０）は中空パイプであり圧力弁（３）によってそれぞれの場所で仕切られている。
本装置図においてそれぞれの圧力弁（３）は、吸い込み口（１）方向から吐き出し口（２）方向へ圧力差が出来たときに空気が流れるよう配置してある。
波の力で浮子（９）が上昇するとピストン（６）が上昇する。
上面圧縮室（４）は圧力が上昇し、下面圧縮室（５）は圧力が下降する、下面圧縮室側の吸い込み側圧力弁（３）は開き下の吸い込み口（１）より空気が吸い込まれる。
上面圧縮室（４）の圧力は前段空気圧とピストン（６）の上昇に因る圧力が加算され圧力空気室（１０）の圧力より高くなると
上面圧縮室（４）の吐き出し口側圧力弁（３）が開き圧縮された空気は圧力空気室（１０）側に吐き出される。
浮子（９）が下降すると上の吸い込み口（１）から空気を吸い込み下面圧縮室（５）側で圧縮され下の吐き出し口側圧力弁（３）を通り圧力空気室（１０）側に吐き出される。
吐き出し口（２）の上下を塞ぐと圧力空気室（１０）に圧縮空気が蓄えられる。圧力空気室（１０）の圧力が上昇し、浮子（９）が上下動出来なくなる、このときの圧力空気室（１０）の空気圧と吸い込み空気圧の差が当圧縮装置（２２）の最大圧縮力となる。
上記圧縮装置（２２）の上下吐き出し口（２）に同様の圧縮装置（２２）の上下吸い込み口（１）を連結すると１段目で圧縮された空気を２段目の吸い込み口（１）の上下より取り入れ圧縮し２段目の圧力空気室（１０）に加圧蓄積される。
ピストン（６）の上面圧縮室（４）と下面圧縮室（５）の両方に吸い込み口（１）、圧力弁（３）、吐き出し口（２）を配置することによって、前段からの圧縮空気はピストン（６）の上面側、下面側に流入するため両面から圧力を受けピストン（６）の上下動に前段からの圧縮空気の影響は受けない。
したがって浮子（９）による必要エネルギーはいずれの段階においても吸い込み圧力と排出圧力の差の分だけになり圧縮装置（２２）は同じ装置を積み重ねるだけでよくなる。
波の大きさによる一基あたりの圧縮力と必要とする圧縮空気圧によって連結する台数が求められる。
図（２）が連結したときの図である。
空気取り入れ口（２１）より吸い込まれた空気は圧縮装置（２２）により段々に加圧され必要とされる圧縮空気は圧力容器（２４）に蓄積され圧縮空気で働く機器を圧縮空気取り出し口（２６）につなぎ機器を動作させる。
【発明の効果】
【０００５】  本考案の波エネルギーを高い圧縮空気にすることで一旦水を高い位置に運び上げ貯水しながら発電させることが可能で必要なときに、必要なだけ自然エネルギーを使う事が出来る。
【発明を実施するための最良の形態】
【０００６】  この発明の実施形態を、図１に示す。
吸い込み口（１）、吐き出し口（２）は中空になっており、圧力弁（３）によってそれぞれの場で仕切られ空気の流れがコントロールされる、圧力弁（３）は空気圧力の高いほうから低いほうには流れるが、その逆方向には流れない、この図において空気は吸い込み口（１）から吐き出し口（２）方向に流れるよう圧力弁（３）を配置している。
波の上下動によって浮子（９）は上下動し、ロッド（８）を介してピストン（６）を上下動させ上面圧縮室（４）、下面圧縮室（５）いずれの方向にも空気を圧縮し、圧力弁（３）を通り吐き出し口（２）より空気を吐き出す、ここで上下吐き出し口（２）をふさぐと圧縮された空気が圧力空気室（１０）にたまる。
上記圧縮装置（２２）の上下吐き出し口（２）に同様の圧縮装置（２２）の上下吸い込み口（１）を連結すると１段目で圧縮された空気を２段目の吸い込み口（１）の上下より取り入れ圧縮し２段目の圧力空気室（１０）に加圧蓄積する。
このように圧縮装置（２２）を数台連結したのが図（２）である。
吸い込み口（１）から吸い込まれた空気はピストン（６）の上面側と下面側に入り込むため前段より圧縮された空気が入ったとしてもピストン（６）の上下動に対し影響を受けない。
このことからどの段の圧縮装置（２２）においても浮子（９）で受けたエネルギーはその段の圧縮分だけに使用される。
弱い波の力で出来た圧縮空気を段々と圧縮していくことで高い圧縮空気を得ることが出来るようにしたものである。
図（２）は、空気取り入れ口（２１）、圧縮装置（２２）を数段重ねた装置、圧縮した空気を貯めておく圧力容器（２４）、その他付属品よりなっている。
空気取り入れ口（２１）より吸い込んだ空気は圧縮装置（２２）により一段一段と圧縮され高い圧縮空気が得られ圧力ホース（２３）を通り圧力容器（２４）に蓄積される。
圧縮空気で動く機器を圧縮空気取り出し口（２６）に接続して動作させる。
【実施形態の効果】
【０００７】  小さな波エネルギーでも圧縮を数段重ねることで高い圧縮空気を作り、公知の方法で一旦水を高い位置に運び貯水する。必要なときに必要なだけ水力で発電することが出来る。
【他の実施形態】
【０００８】  従来、波のエネルギーを利用するには直接電気エネルギーにして使用している形態が多く時と、量のコントロールがやりにくい。
【図面の簡単な説明】
【０００９】
【図１】本発明の実施形態を示す圧縮装置（２２）の斜視図である。
【図２】図（１）の圧縮装置（２２）を数台連結した装置の斜視図である。
【符号の説明】
【００１０】［図１］
１  吸い込み口
２  吐き出し口
３  圧力弁
４  上面圧縮室
５  下面圧縮室
６  ピストン
７  圧力シール
８  ロッド
９  浮子
１０  圧力空気室
［図２］
２１  空気取り入れ口
２２  圧縮装置
２３  圧力ホース
２４  圧力容器
２５  バルブ
２６  圧縮空気取り出し口
２７  圧力計
２８  キャップ
【図１】
2013164059.tif 000003
【図２】
2013164059.tif 000004